(57)【要約】      （修正有）【課題】軽量でジョイント部分を押さえた時は、はみ出した糊が圧着ローラーに付着しないで、壁紙の中央から内側へと圧着ローラーを動かしても壁紙が安定して壁紙貼りの作業を敏速、的確に行うことが出来る圧着ローラーを提供する。【解決手段】圧着ローラー１は、テーパーローラー１であり、把持部３に連結した回転可能に支持する支持軸４に装着されたテーパーローラー１において、テーパーローラー１をフッ素樹脂等で形成して、テーパーローラー１の外周の中央部に適宜な幅広の薄いゴム板２をテーパーローラー１の外周面に被着している。【選択図】図１
0003228685.tif 000002
【実用新案登録請求の範囲】
【請求項１】
把持部に連結した回転可能に支持する支持軸に装着されたテーパーローラーにおいて、前記テーパーローラーの外周面の適宜位置に適宜な幅広のゴム板を被着したことを特徴とする圧着ローラー。
【考案の詳細な説明】
【技術分野】
【０００１】  本考案は、壁紙と壁紙の継ぎ目であるジョイント部分を圧着するために使う圧着ローラーに関するものである。
【背景技術】
【０００２】  従来、壁紙をしっかりと下地に圧着させて、接着剤となっている糊を均一に広げることが目的の圧着ローラーである。壁紙は裏面に糊が塗られて貼り付いているが、壁紙の上から押さえなければ壁紙に浮きが生じてしまう。特に壁端、隅、壁紙と壁紙の継ぎ目であるジョイント部分は浮きからの剥がれが起こりやすいので、圧着ローラーで壁紙端の糊付け部分に沿わせて、上から下に、左から右といったように一定方向へと動かしているが、ジョイント部分を押さえた時、はみ出した糊が圧着ローラーに付着いてしまったり、壁紙の中央から内側へと圧着ローラーを動かすと壁紙が伸びて、後で収縮してくるうちに隙間が出来てしまう。またテーパーの付いていない圧着ローラーを壁紙に押し付けていくと、軸に支えられていない側が浮き上がりやすかった。
【先行技術文献】
【特許文献】
【０００３】
【特許文献１】特開２０１０−１３７９５号公報
【考案の概要】
【考案を解決しようとする課題】
【０００４】  従来、テーパーの付いていない圧着ローラーを壁紙に押し付けていくと、軸に支えられていない側が浮き上がりやすいので、軸のない側へ少しだけ傾ける様に使わなければならなかった。また従来のプラスチック系ローラーは比較的硬めの圧着ローラーなので壁紙をしっかり圧着出来るが、圧着ローラーを壁紙に対してなるべく垂直に立てて圧着ローラーの中心に重心を置いて力を加えるが、もし圧着ローラーの端に力を加えてしまうと圧着ローラーの角の部分に力が入ってしまい下のボードを凹ませてしまったり、ジョイント部分を押さえた時、はみ出した糊が圧着ローラーに付着いてしまう。そして壁紙の中央から内側へと圧着ローラーを動かすと壁紙が伸びて、後で収縮してくるうちに隙間が出来てしまうことがある。さらにステンレス製の圧着ローラーは重みがあるので壁紙をしっかり圧着できるが、しかし持ち重りがするため長丁場の作業や上向きへの壁紙貼りには向かないし、また表面の凸凹模様が刻まれている壁紙は段差を潰して質感を損ねてしまう。本考案は、上記問題を解決するために、軽量でジョイント部分を押さえた時、はみ出した糊が圧着ローラーに付着しないで、壁紙の中央から内側へと圧着ローラーを動かしても壁紙が安定して壁紙貼りの作業を敏速、的確に行うことが出来る圧着ローラーを提供して前記の欠点を解決しようとするものである。
【問題を解決する手段】
【０００５】  把持部に連結した回転可能に支持する支持軸に装着されたテーパーローラーにおいて、前記テーパーローラーをフッ素樹脂、超高分子量ポリエチレン樹脂、ポリプロピレン樹脂、ポリアセタール樹脂等の非粘着性に優れている樹脂で形成して、テーパーローラーの外周の中央部に適宜な幅広の薄いゴム板をテーパーローラーの外周面に被着することにより問題を解決している。
【考案の効果】
【０００６】  上述の様に、従来、テーパーの付いていない圧着ローラーを壁紙に押し付けていくと、軸に支えられていない側が浮き上がりやすいので、軸のない側へ少しだけ傾ける様に細心の注意を払わなければならなかったが、本考案は軸のない側に向かってローラー部が広がっているテーパーローラーであるので、均一に力をかけられるから圧着された箇所は確実に圧着される。なおテーパーローラーを逆方向に装着しても均一に力をかけられるから同様の効果が得られる。
【０００７】  さらに本考案の圧着ローラーは、均一に力をかけられるので圧着ローラーの端に力が加わって圧着ローラーの角の部分に力が入ってしまい下のボードを凹ませることもない。
【０００８】  またテーパーローラーの外周の中央部に適宜な幅広のゴム板をテーパーローラーの外周面に被着することにより、壁紙の中央から内側へと圧着ローラーを動かすと摩擦係数の高いゴム板が壁紙面にしっかり密着するため壁紙が伸びることはなく、より一層壁紙を寄せやすくするので後で収縮してくるうちに隙間が出来てしまうことはない。
【０００９】  さらに、従来のプラスチック系ローラーは比較的硬めの圧着ローラーで、壁紙と壁紙の継ぎ目であるジョイント部分を押さえた時、はみ出した糊や汚れも圧着ローラーに付着してしまい、さらに圧着ローラーに付着した糊が壁紙を持ち上げてしまうが、本考案の圧着ローラーはフッ素樹脂、超高分子量ポリエチレン樹脂、ポリプロピレン樹脂、ポリアセタール樹脂等の非粘着性に優れている樹脂で形成してあるので、樹脂表面に接する物質が粘着したり接着することはほとんど無いので、壁紙と壁紙の継ぎ目であるジョイント部分を押さえた時、はみ出した糊や汚れも圧着ローラーに付着しにくい。
【図面の簡単な説明】
【００１０】
【図１】  本考案の軸のない側に向かってローラーが狭まっている一部欠損の正面図である。
【図２】  本考案の軸のない側に向かってローラーが広がっている一部欠損の正面図である。
【図３】  第３図は第１図の側面図
【考案を実施するための形態】
【００１１】  把持部に連結した回転可能に支持する支持軸に装着されたテーパーローラーにおいて、前記テーパーローラーをフッ素樹脂で形成して、テーパーローラーの外周の中央部に適宜な幅広の薄いゴム板をテーパーローラーの外周面より少し突出する様に被着している。
【実施例】
【００１２】  以下、本考案の実施の形態を図に基づいて説明する。１はテーパーローラーであってフッ素樹脂、超高分子量ポリエチレン樹脂、ポリプロピレン樹脂、ポリアセタール樹脂等の非粘着性に優れている樹脂で形成されている。２は幅広の薄いゴム板であつて、テーパーローラー１の外周の中央部にゴム板２をテーパーローラー１の外周面に被着しているが、テーパーローラー１の外周面よりゴム板２を少し突出させて被着しても良い。３は把持部で木製、プラスチック等で形成されている。４は支持軸であって把持部３に固定されたており、支持軸４の先端側に回転可能に支持されたテーパーローラー１を備えている。なおテーパーローラー１は支持軸４のない側に向かって広がっているが、支持軸４のない側に向かって狭まっているテーパーローラー１を装着しても良い。【００１３】  本考案は以上の構成であるから、本考案の圧着ローラーの使い方は把持部３を握りしめてテーパーローラ１を壁紙に対してなるべく垂直に立ててテーパーローラ１の中心に重心を置いて力を加えるが、テーパーローラ１を壁紙端の糊付け部分に沿わせて、上から下に、左から右といったように一定方向へと動かし幅広く圧着していく。テーパーローラー１の外周の中央部に適宜な幅広のゴム板２をテーパーローラー１の外周面に被着するが、さらにゴム板２が壁紙面にしっかり密着出来るようにテーパーローラー１の外周面よりゴム板２を少し突出させて被着することにより、壁紙の中央から内側へと圧着ローラーを動かすと摩擦係数の高いゴム板２が壁紙面にしっかり密着するため壁紙が伸びることはなく、より一層壁紙を寄せやすくするので後で収縮してくるうちに隙間が出来てしまうことはない。またテーパーローラー１はフッ素樹脂等の非粘着性に優れている樹脂で形成してあるので、樹脂表面に接する物質が粘着したり接着することはほとんど無いので、壁紙と壁紙の継ぎ目であるジョイント部分を押さえた時、はみ出した糊や汚れも圧着ローラーに付着しにくい。なお通常はテーパーローラー１は支持軸４のない側に向かって広がっているが、テーパーローラー１を着脱して逆方向に設置する場合は、支持軸４の先端に螺刻された雄ネジにナットを螺合することにより簡単に行える。
【産業上の利用可能性】
【００１４】  本考案は、圧着ローラーを製造する産業で利用される。
【符号の説明】
【００１５】１  テーパーローラ
２  ゴム板
３  把持部
４  支持軸
【図１】
0003228685.tif 000003
【図２】
0003228685.tif 000004
【図３】
0003228685.tif 000005